(57)【要約】【課題】  本発明の目的は、特定の項目について異常な測定結果が出力された場合、全ての測定結果が出力される前にオペレータが医師などへ異常な測定結果を報告する手段を提供し、医師が分析を依頼してから結果が出力されるまでのターンアラウンドタイムを低減することができる分析システムを提供する。【解決手段】  分析項目と測定結果が異常の場合の測定結果報告タイミングとを関連付けたテーブルを記憶し、分析結果が異常と判断した場合にテーブルの情報に従ったタイミングで前記処理装置へ結果を報告する。【選択図】図３
2005351777.tif 000002
【特許請求の範囲】
【請求項１】
複数の分析項目の分析を実行する分析装置と、
それぞれの試料について前記複数の分析項目の中から分析を実行するよう指定された分析項目の全ての分析結果が出揃う前に、分析結果が出た時点で分析結果が出力される分析項目を前記複数の分析項目の中から指定する指定手段と、
を備えたことを特徴とする分析システム。
【請求項２】
請求項１記載の分析システムにおいて、
前記指定手段は指定した分析項目を予め記憶しておく記憶手段を備えたことを特徴とする分析システム。
【請求項３】
請求項１または２記載の分析システムにおいて、
前記指定手段は、全ての分析結果が出揃ってから分析結果を出力する分析項目を一覧表示し、該一覧表示の中から、分析結果が出た時点で分析結果が出力される分析項目を選択，登録する表示手段を備えたことを特徴とする分析システム。
【請求項４】
請求項１〜３のいずれかに記載の分析システムにおいて、
該分析装置で実行された分析の分析結果を記憶する記憶手段と、
それぞれの試料について前記複数の分析項目の中から分析を実行するよう指定された分析項目の全ての分析結果が出揃ったかどうかを判定する判定手段を備えたことを特徴とする分析システム。
【請求項５】
複数の分析項目の分析を実行する分析装置と、
それぞれの試料について前記複数の分析項目の中から分析を実行するよう指定された分析項目の全ての分析結果が出揃う前に、分析結果が出た時点で分析結果を出力するか、出力しないかを分析した試料の緊急レベルに基づき判断する判断手段と、
を備えたことを特徴とする分析システム。
【請求項６】
複数の分析項目の分析を実行する分析装置と、
それぞれの試料について前記複数の分析項目の中から分析を実行するよう指定された分析項目の全ての分析結果が出揃う前に、分析結果が出た時点で分析結果を出力するか、出力しないか選択可能な分析項目を前記複数の分析項目の中から指定する指定手段と、
を備えたことを特徴とする分析システム。
【請求項７】
請求項６記載の分析システムにおいて、
前記指定手段で指定する際に、分析したモジュールの名称，検体番号，ラック番号，分析項目，分析結果，アラーム，分析時刻の少なくとも１つの情報を表示する表示手段を備えたことを特徴とする分析システム。
【請求項８】
請求項６記載の分析システムにおいて、
前記指定手段で指定する際に、分析した試料の提供者の過去の測定結果を表示する表示手段を備えたことを特徴とする分析システム。
【請求項９】
請求項８記載の分析システムにおいて、
過去の測定結果と現在の測定結果を同一画面に同時に表示する表示手段を備えたことを特徴とする分析システム。
【発明の詳細な説明】
【技術分野】
【０００１】
本発明は、血液，尿等の生体試料の定性／定量分析を行う自動分析装置に係り、特に測定結果の報告タイミングの最適化が可能な自動分析装置及びそれを用いた分析システムに関する。
【背景技術】
【０００２】
例えば特許文献１記載のような従来の分析システムでは、患者の検体単位で分析依頼を受け付け、測定結果はその患者の全ての測定結果が出力されてからオペレータから医師などに通知される。このため、例え依頼した分析項目のいくつかに異常がみられた場合でも、他の分析項目の結果が出るまでは測定結果が処理装置に出力されず、オペレータがそれを認識することができなかった。
【０００３】
【特許文献１】特開２００３−２７９５８２号公報
【発明の開示】
【発明が解決しようとする課題】
【０００４】
特許文献１記載の技術では分析結果報告がいつの時点でなされるかを予測し、緊急検体を受け付けた際に、緊急処理すべきか通常の処理で良いのかを判断できるようにすることを目的としている。しかし、一人の患者の検体に対しては通常複数の分析項目の分析依頼があるため、いずれかの分析項目の結果出力が遅れた場合は、分析結果の報告自体が遅れてしまう。特に免疫分析は分析原理の違いから生化学分析項目に比べて分析結果の出力に時間がかかるが、一方で異常が見られた場合、至急対応した方が良いような特定の生化学分析項目も有り得る。
【０００５】
本発明の目的は、特定の項目について異常な測定結果が出力された場合、全ての測定結果が出力される前にオペレータが医師などへ異常な測定結果を報告する手段を提供し、医師が分析を依頼してから結果が出力されるまでのターンアラウンドタイムを低減することにより、迅速な医療活動を実現させることにある。
【課題を解決するための手段】
【０００６】
上記目的を達成するための本発明の構成は以下の通りである。
【０００７】
分析装置は各分析項目と測定結果が異常の場合の測定結果報告タイミングとを関連付けたテーブルを記憶する。分析装置は分析項目ごとに測定結果が異常の場合の測定結果報告タイミングを設定可能な報告タイミング設定画面を表示し、ユーザの設定に応じてテーブルを更新する。
【０００８】
各々分析項目の測定結果が出力されたとき、分析装置は結果の正常／異常を判断し、結果が異常だった場合には、異常結果出力時にテーブルを参照し、分析項目ごとに設定したタイミングに従って処理装置に結果を送信する。
【０００９】
処理装置には異常結果を一覧にした異常分析結果情報リストを表示し、分析装置から異常結果が送信されるたびに画面表示を更新する。異常分析結果情報リストには、先発送信ボタン，再検依頼ボタン，再検取消ボタンを設け、オペレータが異常結果を確認した後の対応を促す。先発送信ボタンが押下された場合には、他の測定結果の出力を待たずに、医師などが所持する表示装置に測定結果を送信する。他に、再検依頼ボタンが押下された場合には、異常結果となった項目の再検査を分析装置に指示し、再検取消ボタンが押下された場合には、自動再検機能などによる再検を取りやめることを分析装置に指示する。
【００１０】
以上により、特定の項目について異常な測定結果が出力された場合に、再検か、検体が異常かをオペレータが判断し次のステップに進めるようにすることにより、測定異常が発生した場合の迅速な報告を可能にすることができる。
【発明の効果】
【００１１】
本発明によれば、特定の項目について異常な測定結果が出力された場合、全ての測定結果が出力される前にオペレータが医師などへ異常な測定結果を報告することができるため、医師が分析を依頼してから結果が出力されるまでのターンアラウンドタイムを低減することができる。このことにより、迅速な医療活動を実現させることができる。
【発明を実施するための最良の形態】
【００１２】
図２は自動分析装置の原理的な装置構成図である。図２において２−１は反応ディスクであり、反応ディスク２−１の外周上には反応容器２−２が設けられている。反応ディスク２−１全体は保温槽２−３によって所定の温度に保持されている。
【００１３】
２−５は検体を設置するサンプルディスク機構であり、この機構にはバーコード２−６を貼付けした多数の検体の試験管が設置されている。バーコードを貼付けした試験管内の検体はピペッティング機構２−７のノズル２−８によって適宜に抽出され、検体分注位置の反応容器２−２に注入される。２−９Ａ１と２−９Ｂ１はバーコードラベル付きの試薬ボトルが設置された試薬ディスク機構であり、各試薬ディスク機構２−９Ａ１，２−9Ｂ1ごとにバーコード読み取り装置２−２７Ａ，２−２７Ｂが付属しており試薬登録時にバーコードを読み込みポジションに対応した試薬ボトル情報を登録する。また各々試薬ディスクには第２試薬ピペッティング機構２−１０Ａと、第１試薬ピペッティング機構２−10Ｂが設置されている。試薬ディスク機構２−９Ａ１，２−９Ｂ１に近接されて配置された２−１１は撹拌機構である。２−１２は多波長光度計、２−１３は光源であり、多波長光度計２−１２と光源２−１３と間に測光の対象を収容する反応容器２−２が配置されている。２−１４は洗浄機構である。制御系及び信号処理系について、２−１５はマイクロコンピュータ、２−１６はインターフェイス、２−１７はＬｏｇ（対数）変換器、２−１８はＡ／Ｄ変換器、２−１９は試薬分注機構、２−２０は洗浄ポンプ、２−２１はサンプル試薬分注機構である。また２−２２は印字のためのプリンタ、２−２３は表示のＣＲＴ、２−２４は記憶装置としてハードディスク、２−２５は入力するための操作パネル（キーボード、あるいはタッチスクリーンやマウスなどのポインティングデバイス）である。
【００１４】
図２でバーコードを貼付けした試験管に入れられた検体は、操作パネルより入力された、マイクロコンピュータ２−１５内のメモリに記憶されている分析パラメータにしたがって、検体ピペッティング機構２−７のノズル２−８を用いて反応容器２−２に所定量分注する。
【００１５】
次に、検体が分注された反応容器２−２を、反応ディスク２−１を回転させ試薬分注位置へ移送する。その後、試薬を操作パネルより入力された、マイクロコンピュータ２−
１５内に記憶されている分析パラメータにしたがって、試薬ピペッティング機構２−10Ａ及び２−１０Ｂのノズルを用いて、検体が分注された反応容器２−２へ所定量分注する。
【００１６】
その後、撹拌機構２−１１で検体と試薬との撹拌が行われ、混合される。
【００１７】
この反応容器２−２が、測光位置を横切る時、多波長光度計２−１２により吸光度が測光される。測光された吸光度は、Ｌｏｇ変換２−１７，Ａ／Ｄ変換器２−１８，インターフェイス２−１６を経由して、マイクロコンピュータ２−１５に取り込まれる。この吸光度は、あらかじめ項目毎に指定された分析法で測定しておいた標準試料液の吸光度から作成した検量線に基づき、濃度データに変換される。この測定された成分濃度データは、プリンタや画面に出力される。
【００１８】
以上の測定原理において、ユーザは、測定に必要な種々のパラメータ設定や検体の登録、そして分析結果の確認を画面（ＣＲＴ）２−２３で行う。
【００１９】
まず、本発明請求項１の実現方法詳細の一例を示す。
【００２０】
図１は、本発明による分析システムの実施例を示す構成図である。分析システムは、患者検体を分析する１つまたは複数の分析装置１−１と、各分析装置の情報を管理する処理装置１−３及び処理装置１−３と表示装置１−４は通信手段によってデータの送受信を行う。分析装置１−１は、各分析項目とその報告タイミングを対応付ける測定結果報告タイミングテーブルを記憶部１−２に保持する。オペレータが処理装置１−３から分析の指示を行うと、処理装置１−３から分析装置１−１に分析依頼１−５が通知される。分析装置１−１は分析依頼１−５を受け付けると、分析処理を実施し、結果出力後、測定結果の良否を判断する。測定結果の異常を検出した場合には、記憶部１−２の測定結果報告タイミングテーブルを検索し、該当する報告タイミングに従って、処理装置１−３に異常結果を報告する。処理装置はＣＲＴなどにより、オペレータが内容を確認できる表示部を備える。処理装置１−３に表示された異常結果から、異常となった測定項目の再検実施または再検取消１−７を各分析装置１−１に指示するか、または、他の分析結果の出力を待たずに表示装置１−４に先発送信１−８するかをオペレータが選択する手段を備える。
【００２１】
他の案として、一般検体や緊急検体などの検体の緊急レベルに応じて、測定結果報告タイミングテーブルに従ったタイミングで報告するかを切り替える選択手段を備える方法が考えられる。
【００２２】
次に、図３により、項目ごとに異常結果報告タイミングを設定するための画面構成を示す。分析装置の各機能に関しては、“ルーチン業務”３−１を始めとして、“試薬管理”“キャリブレーション”“精度管理”“ユーティリティ”などがある。ユーティリティ画面３−５は、システム全体の基本設定を行う“システム”３−６や、装置のメンテナンスを実施するための“メンテナンス”３−７等を備える。システム画面３−６は報告タイミング設定画面を備え、全分析完了時に報告する項目の一覧３−８と異常検出時に報告する項目の一覧３−９を表示する。図３の例では、Ｃｌ，Ｇｌｕ，Ｋ，Ｎａという分析項目の測定で異常が発生した場合には、結果出力後すぐに処理装置１−３に送信することを示している。全分析完了時に報告するか異常検出時に報告するかは、例えば項目を指定して、ボタン３−１０を押下すると全分析完了時となり、ボタン３−１１を押下すると異常検出時となるように設定できる。
【００２３】
次に、処理装置１−３に送信された異常測定結果を表示し、オペレータが判断可能な画面の構成について図４に示す。処理装置１−３では、オペレータが異常結果から次の行動を判断できる情報として、例えば、分析したモジュールの名称，検体番号，ラック番号，項目，結果，アラーム，分析時刻などの情報を表示した一覧４−１を備える。他に、オペレータが異常結果から次の行動を判断するために、処理装置１−３が患者ごとの過去の測定結果を記憶しており、過去の測定結果と比較可能な手段をもつ案も考えられる。全測定結果が出力される前に先発で医師などに異常結果を報告すべきとオペレータが判断した場合には、先発送信ボタン４−２を押下することによって異常結果のみが表示装置１−４を通じて医師などに報告される。装置の要因などによって異常結果が出力された場合など、再検が必要とオペレータが判断した場合には、再検依頼ボタン４−３を押下することによって、分析装置１−１に再検が依頼される。異常結果が出力された検体が普段から異常結果となる患者に由来する場合など、再検が不要とオペレータが判断した場合には、再検取消ボタン４−４を押下することによって、分析装置１−１に対して再検の依頼を取り消すことができる。
【図面の簡単な説明】
【００２４】
【図１】本発明の分析システム全体の基本的な概略を示す構成図。
【図２】本発明に係る自動分析装置の概略図。
【図３】報告タイミング設定画面例。
【図４】異常分析結果情報リスト例。
【符号の説明】
【００２５】
１−１…分析装置、１−２…分析装置の記憶部、１−３…処理装置、１−４…表示装置、１−５…処理装置から分析装置への分析依頼、１−６…分析装置から処理装置への異常結果報告、１−７…処理装置から分析装置への再検依頼／取消、１−８…処理装置から表示装置への先発送信。
【図１】
2005351777.tif 000003
【図２】
2005351777.tif 000004
【図３】
2005351777.tif 000005
【図４】
2005351777.tif 000006